(57)【要約】      （修正有）【課題】幼稚園や保育園など幼児施設の教室や保育室で間仕切り用に使用される家具で、地震や衝突による衝撃に対する安定性を有する幼児施設用家具を提供する。【解決手段】幼児施設において、部屋の間仕切り用に使用される家具であり、前記家具の背面部及び／または側面部に複数の接合部材からなる転倒防止部材が設けられており、前記接合部材を介して当該家具同士着脱自在に接合を可能とした。【選択図】図２
0003149836.tif 000002
【実用新案登録請求の範囲】
【請求項１】
幼児施設において部屋の間仕切り用に使用される家具であって、前記家具の背面部及び／または側面部に複数の接合部材からなる転倒防止部材が設けられており、前記接合部材を介して当該家具同士着脱自在に接合を可能とした幼児施設用家具。
【請求項２】
前記家具は、容易に移動可能とする可動部材を更に備えた、請求項１記載の幼児施設用家具。
【請求項３】
前記接合部材は面ファスナーである請求項１または請求項2記載の幼児施設用家具。
【請求項４】
前記接合部材は前記家具の背面部及び／または側面部の複数箇所に平板の強磁性体を設け、当該家具同士を平板の永久磁石を別途介して接合する請求項１または請求項2記載の幼児施設用家具。
【考案の詳細な説明】
【技術分野】
【０００１】
本考案は幼稚園や保育園など幼児施設の教室や保育室（これら併せて以下、保育室という）で間仕切り用に使用される家具に、転倒防止部材を取り付けた幼児施設用家具に関するものである。
【背景技術】
【０００２】
家具が転倒しないよう、壁部に家具を取り付けるといった工夫は従来から知られている。（例えば特許文献1）
特許文献1では、家具と壁面をシートで一体保持するものであり、これらシート間をマジックテープ（登録商標）で着脱可能とする耐震用家具転倒防止具の技術が開示されている。しかし、この特許文献1では、壁と家具との固定を目的としたものであり、幼児施設で見られる、壁面ではなく部屋の中央部に家具を置く場合には、適していない。
【特許文献１】特許公開２００５−２２４５６２
【考案の開示】
【考案が解決しようとする課題】
【０００３】
本考案が解決しようとする課題は、以下のとおりである。
幼児施設では、図7に示すとおり、幼児施設の部屋の壁面に、衣類ロッカーや道具箱や教材・玩具を収納する整理棚、また絵本などを収納する本棚が設置されているケースが多い。
【０００４】
ところで、近年の傾向としては、図８に示すとおり、家具類で保育室を間仕切りしてスペースをつくり、園児等への保育環境に変化を持たせた部屋作り（所謂コーナー保育）を取り入れる幼児施設が増えてきている。
【０００５】
ここでコーナー保育を簡単に説明する。幼児施設の保育室をオープンスペースと見立て、指導者が幼児等に提供する保育内容ごとに部屋を間仕切し、この間仕切りにより、小さなスペース、つまりコーナーを作成し、各コーナーごとに幼児等に指導するテーマを設けるようにする。このテーマとは‘おえかき、工作などの製作’であったり、‘読書’であったり、‘ままごとやブロックなどのごっこあそび’であったり‘パズルやゲームなどのおあそび’など、季節やその日の天候、時間など、各指導者の独自の裁量で適宜決められる。このコーナー保育では、従来壁面に置かれている家具を間仕切り用に使用するケースが多い。これはもちろん、保育室のスペースを有効活用するためであるが、幼児等にとって各コーナーのテーマに関わる教材、道具が身近にあることが好ましいためでもある。
【０００６】
しかし、家具を保育室の中央部に置くことは、壁面等へ設置した場合に比べ、その安定性が悪くなる為、園児が衝突したり、地震など災害により、家具が横滑りしたり、転倒する等の危険が増すことになる。
【０００７】
また、コーナー保育では、比較的重い家具を指導テーマにあわせて、頻繁に移動させて前記コーナーを作ることとなり、これら移動作業は指導者にとって非常に重労働であり、またこの移動によって床や壁面が損傷する恐れがあるため、移動し易いようにキャスターなどを家具に取り付けるなど、工夫をする必要がある。しかしながら、キャスターにより移動を容易にすることは、同時に、安定性が一層悪くなり、園児が衝突したり、地震など災害により、家具が横滑りしたり、転倒する等の危険が更に増すことになる。
【課題を解決するための手段】
【０００８】
請求項1にかかる考案は、幼児施設で間仕切り用に使用される家具であり、前記家具の背面部及び／または側面部には複数の接合部材からなる転倒防止部材が設けられており、前記接合部材を介して当該家具同士着脱自在に接合を可能とした幼児施設用家具の提供である。
【０００９】
請求項２にかかる考案は、請求項１記載の幼児施設用家具であって、前記家具を容易に移動可能とする可動部材を更に備えた幼児施設用家具の提供である。
【００１０】
また、請求項３にかかる考案は、請求項１または請求項２において、その接合部材を面ファスナーとしたことが特徴の幼児施設用家具の提供である。
【００１１】
また、請求項４にかかる考案では、請求項１または請求項２において、その接合部材は前記家具の背面部及び／または側面部の複数箇所に平板の強磁性体を設け、当該家具同士を平板の永久磁石を別途介して着脱可能に接合することが特徴の幼児施設用家具の提供である。
【考案の効果】
【００１２】
本考案の幼児施設用家具の図１に示す第一の実施例では、幼児施設で使用されるロッカーや書棚などの家具1において、保育室の間仕切り用に使用するためにその背面部か側面部、または背面部と側面部の両面部の複数箇所に接合部材(2A乃至2Ｃ、２ａ)からなる転倒防止部材2が設けられている。
これにより、図２に示すとおり、当該家具1Ａの背面部接合部材2Aと別の当該家具1Ｂの背面部の接合部材2A同士接合することが可能となり、互いの家具同士の作用により、地震や衝突による衝撃に対する安定制が増すことになる。
【００１３】
また、図３に示すとおり、当該家具1Ｂの側面部接合部材2Bと別の当該家具1Ａの側面部接合部材2Cを接合することも可能である。これは従来のような壁面に設置する場合でも、このように接合した上で、公知の壁面固定手段で壁面固定することで、互いの家具同士の作用により安定性が増すことになる。
【００１４】
また、図４に示すとおり家具1Aと家具1Bの背面部を背面部接合部材2Aで接合し、更に別の当該家具1Cの側面部接合部材を前記家具1Aまたは家具1Bの側面部接合部材で接合することで、更に、地震や衝突に対する衝撃に対する安定制が増すことになる。
【００１５】
また、第一の実施例では、この接合部材は背面部の4隅と左右両側面部の4隅に設けられているが、これに限定するものではなく、図5に示す第二の実施例では、背面部の左右両側面部に対応する箇所（実施例で8箇所）に接合部２aを設けることによりＬ字型に家具を配置することも可能であり、この場合も当該家具同士の作用により、地震や衝突による衝撃に対する安定性が出ることになる。
【００１６】
この第一の実施例、第二の実施例では、この接合部材は面ファスナーを使用しているが、そのフックとループ両方が植え込まれたフック面とループ面との区別のないタイプやマッシュルーム状に起毛されていて結合力が強いクリックタイプなどフック面とループ面との取り付け間違いが起きないものが好適である。
【００１７】
また、前記面ファスナーに代えて、当該家具の背面部か側面部、または背面部と側面部の両面部の複数箇所に、接合部材として永久磁石を用いる方法もある。この場合、永久磁石の極性の組合わせによって接合できない場合が生じるため、前記接合部材を永久磁石の極性ごとに色分けすることで一目でどのように組合わせたらよいかわかるものが望ましい。
【００１８】
更に、第三の実施例では、図6に示すとおり、前記家具の背面部か側面部、または背面部と側面部の両面部の複数箇所に鉄板などの平板強磁性部材4A乃至4Cを設置し、当該家具同士を平板の永久磁石4Dを別途介して接合させるようにすることも可能である。
【００１９】
なお、本考案の幼児施設用家具では、容易に移動可能であることが好ましい。そのため、前記家具1には可動部材3を取り付けている。この可動部材3はキャスターであり、当該キャスターは、キャスター自体にストッパーが取り付けられているものでも良いが、より安定性を高める為に、移動時にのみキャスター自体を出し入れ自在に取り出せるタイプや、移動時に、家具を傾けた場合のみ当該キャスターが接地するタイプが好ましい。
【産業上の利用可能性】
【００２０】
本考案は幼児施設で使用される家具において、地震や園児の衝突に対す安定性を高めた家具である。
【図面の簡単な説明】
【００２１】
【図１】本考案による幼児施設用家具第一の実施例の背面斜視図
【図２】本考案による幼児施設用家具を背面で接合した第一の実施例
【図３】本考案による幼児施設用家具を側面で接合した第一の実施例
【図４】本考案による幼児施設用家具を背面で接合し、更に側面で接合した第一の実施例
【図５】本考案による幼児施設用家具他の実施例を背面と側面でＬ字型に接合した第二の実施例
【図６】本考案による幼児施設用家具で、強磁性体と永久磁石を用いた他の第三の実施例
【図７】従来の幼児施設保育室の一例の平面図
【図８】コーナ保育を取り入れ、幼児施設用家具を間仕切りとして取り入れた幼児施設保育室の一例の平面図
【符号の説明】
【００２２】
１    幼児施設用家具
１Ａ    接合する一方の幼児施設用家具
１Ｂ    接合する一方の幼児施設用家具
１Ｃ    接合する第三の幼児施設用家具
２    転倒防止部材
２Ａ    接合部材（背面部）
２Ｂ    接合部材（右側面部）
２Ｃ    接合部材（左側面部）
２ａ    第二の実施例の接合部材（背面部）
３    可動部材
４    第三の実施例の転倒防止部材
４Ａ    接合手段としてを強磁性体を背面部に設けた他の実施例
４Ｂ    接合手段としてを強磁性体を右側面部に設けた他の実施例
４Ｃ    接合手段としてを強磁性体を左側面部に設けた他の実施例
４Ｄ    接合手段として用いる永久磁石
【図１】
0003149836.tif 000003
【図２】
0003149836.tif 000004
【図３】
0003149836.tif 000005
【図４】
0003149836.tif 000006
【図５】
0003149836.tif 000007
【図６】
0003149836.tif 000008
【図７】
0003149836.tif 000009
【図８】
0003149836.tif 000010